(57)【要約】【課題】インクの消費量が多く、また基準マークを正確に印刷することが困難であった。【解決手段】印刷媒体を所定の搬送方向に沿って搬送する搬送部と、インク滴を吐出可能なノズルを複数備える印刷ヘッドにインク滴を吐出させることにより上記印刷媒体の特定位置に基準マークを印刷するにあたって、当該印刷媒体の領域であって当該特定位置よりも上記搬送方向において下流側に位置する領域に、当該基準マークの印刷に用いるノズルと同じノズルからインク滴を吐出させることにより所定の予備印刷を行なう印刷制御部とを備える構成とした。【選択図】図３
2010076113.tif 000002
【特許請求の範囲】
【請求項１】
印刷媒体を所定の搬送方向に沿って搬送する搬送部と、
インク滴を吐出可能なノズルを複数備える印刷ヘッドにインク滴を吐出させることにより上記印刷媒体の特定位置に基準マークを印刷するにあたって、当該印刷媒体の領域であって当該特定位置よりも上記搬送方向において下流側に位置する領域に、当該基準マークの印刷に用いるノズルと同じノズルからインク滴を吐出させることにより所定の予備印刷を行なう印刷制御部とを備えることを特徴とする印刷装置。
【請求項２】
上記印刷制御部は、所定の印刷データに基づいて上記印刷ヘッドを駆動することにより複数枚からなる印刷媒体のセットを構成する各印刷媒体に対して印刷を行なう場合に、当該セットの最上面に該当する印刷媒体にのみ上記基準マークの印刷および予備印刷を行なうことを特徴とする請求項１に記載の印刷装置。
【請求項３】
上記印刷制御部は、上記予備印刷によって形成される画像と上記基準マークとの間にインク滴を吐出しない空白領域を形成することを特徴とする請求項１または請求項２に記載の印刷装置。
【請求項４】
上記印刷制御部は、上記予備印刷によって形成される画像と上記基準マークとの間に所定の濃度差が生じるように上記印刷ヘッドにインク滴を吐出させることを特徴とする請求項１または請求項２に記載の印刷装置。
【請求項５】
印刷媒体を所定の搬送方向に沿って搬送し、インク滴を吐出可能なノズルを複数備える印刷ヘッドからインク滴を吐出させることにより上記印刷媒体の特定位置に基準マークを印刷するにあたって、当該印刷媒体の領域であって当該特定位置よりも上記搬送方向において下流側に位置する領域に、当該基準マークの印刷に用いるノズルと同じノズルからインク滴を吐出させることにより所定の予備印刷を実行することを特徴とする印刷方法。
【発明の詳細な説明】
【技術分野】
【０００１】
本発明は、印刷装置および印刷方法に関する。
【背景技術】
【０００２】
従来、印刷媒体に所望の印刷を行なう場合、いわゆるトンボと呼ばれる裁断位置を示す基準マークを、所望の画像の周辺（印刷媒体の四隅）に印刷していた。このような基準マークは、オフセット印刷などの版を用いた印刷手法によって複数の印刷媒体に印刷が行なわれる場合には、全ての印刷媒体に同様に印刷されていた。
【０００３】
また、関連する技術として、被カットメディア又は被プリントメディアの所定表面部分の周辺表面部分に、マーク（黒色等）と、マークの周辺部とのコントラストを高めるためマークの色とは異なる地色面（赤又は白色等）とを、インクジェットプリンタによってプリントするプリント方法が知られている（特許文献１参照。）。
【特許文献１】特開２００６‐２１２９９７号公報
【発明の開示】
【発明が解決しようとする課題】
【０００４】
印刷媒体の裁断は、複数の印刷媒体をまとめて重ねた状態で、最上段の印刷媒体における基準マークを目印して行なわれるのが通常である。よって、従来のように全ての印刷媒体に対して基準マークを印刷することはインクの無駄であった。
【０００５】
また、上記文献等のように、インク滴吐出用のノズルを使用したインクジェット方式によって、所望の画像とともに上記基準マークを印刷することもある。しかしながら、ノズルの開口付近においては、インク滴が吐出されない期間がある程度維持されると、空気とノズル内部のインクとが接することによりインク中の水分や溶剤が蒸発してインクの粘度が上昇する。インク粘度の上昇は、ノズルからインク滴が吐出されるタイミングや速度のずれや、インク滴の飛行曲りや、インク滴の非吐出等といった、各種吐出不良の原因となり得る。上述したように、基準マークは印刷媒体の裁断位置を示すものであるから、その印刷位置には高い精度が要求される。しかし、上述したような吐出不良の可能性を抱えた状態のノズルを用いて基準マークを印刷すると、印刷媒体において本来基準マークが印刷されているべき位置に基準マークが正確に印刷されないということも起こり得た。
【０００６】
本発明は上記課題に鑑みてなされたものであり、印刷媒体における基準マークの位置の正確性をより高め、また、使用するインク量を低減することが可能な印刷装置および印刷方法を提供することを目的とする。
【課題を解決するための手段】
【０００７】
上記目的を達成するため、本発明の印刷装置は、印刷媒体を所定の搬送方向に沿って搬送する搬送部と、インク滴を吐出可能なノズルを複数備える印刷ヘッドにインク滴を吐出させることにより上記印刷媒体の特定位置に基準マークを印刷するにあたって、当該印刷媒体の領域であって当該特定位置よりも上記搬送方向において下流側に位置する領域に、当該基準マークの印刷に用いるノズルと同じノズルからインク滴を吐出させることにより所定の予備印刷を行なう印刷制御部とを備える。
【０００８】
本発明によれば、印刷媒体において基準マークの印刷よりも先に予備印刷が実行され、予備印刷後に、予備印刷に用いられたノズルと同じノズルによって基準マークの印刷が実行される。つまり、予備印刷中にノズルの吐出不良が解消された上で基準マークが印刷されるため、基準マークの印刷位置は極めて正確なものとなる。
【０００９】
上記印刷制御部は、所定の印刷データに基づいて上記印刷ヘッドを駆動することにより複数枚からなる印刷媒体のセットを構成する各印刷媒体に対して印刷を行なう場合に、当該セットの最上面に該当する印刷媒体にのみ上記基準マークの印刷および予備印刷を行なうとしてもよい。当該構成によれば、セットを構成する各印刷媒体のうち当該セットの最上面に該当する印刷媒体にのみ基準マークの印刷および予備印刷がなされるため、インクの消費量を大幅に低減できる。ここで言う印刷媒体のセットとは、例えば、一度に裁断される印刷媒体の単位を意味する。よって、セットを構成する各印刷媒体を裁断する場合には、上記最上面に該当する印刷媒体を一番上にした状態で各印刷媒体を重ね、一番上の印刷媒体に印刷された基準マークを基準として裁断を行なう。
【００１０】
上記印刷制御部は、上記予備印刷によって形成される画像と上記基準マークとの間にインク滴を吐出しない空白領域を形成してもよい。当該構成によれば、印刷媒体上において予備印刷による印刷画像と基準マークとの間に空白領域が形成されるため、裁断時に基準マークを、機械で光学的に読み取ったりユーザが目視で確認する場合に、基準マークが容易に識別される。あるいは、上記印刷制御部は、上記予備印刷によって形成される画像と上記基準マークとの間に所定の濃度差が生じるように上記印刷ヘッドにインク滴を吐出させるとしてもよい。当該構成によれば、印刷媒体上において予備印刷による印刷画像と基準マークとの間には濃度差が生じているため、裁断時に基準マークを、機械で光学的に読み取ったりユーザが目視で確認する場合に、基準マークが容易に識別される。
【００１１】
これまでは、本発明にかかる技術的思想を印刷装置として説明したが、上述した印刷装置が備える各部に対応した各工程を備えた印刷方法の発明や、上述した印刷装置が備える各部に対応した各機能をコンピュータに実行させる印刷処理プログラムの発明をも把握することができる。また、上記印刷装置は、単体の装置であってもよいし、複数の装置（例えば、搬送部や印刷ヘッドを備えるプリンタと、プリンタの制御主体となるコンピュータ）によって構成されていてもよい。
【発明を実施するための最良の形態】
【００１２】
以下、本発明の実施形態を、図面を参照しながら説明する。
図１は、本実施形態にかかるインクジェット式プリンタ（以下、単にプリンタと呼ぶ。）１０の構成の一部を概略的に示している。プリンタ１０は、本発明の印刷装置の一例に該当する。プリンタ１０は筺体１１を備え、筺体１１内に、用紙（印刷媒体）Ｐにインク（液体）滴を吐出可能な印刷ヘッド１２を備える。印刷ヘッド１２の下面（ノズル形成面１６）には、インク滴を吐出するための複数のノズル１３が、用紙Ｐの搬送方向（図１において矢印で示すＸ方向）と交差する方向（図１の紙面に対して垂直な方向）に沿って用紙Ｐの印刷領域の全幅に亘って形成されている。つまり本実施形態では、プリンタ１０は、いわゆるフルラインヘッドタイプのプリンタとして構成されている。
【００１３】
印刷ヘッド１２には、それぞれ異なる色のインクを貯留する複数のインクカートリッジ（不図示）が接続され、印刷中に、これらのインクカートリッジに貯留されたインクが所定圧に圧力調整された状態で、随時、印刷ヘッド１２に供給されるようになっている。筺体１１内において、印刷ヘッド１２の下方には、用紙Ｐを搬送方向に沿って搬送するための搬送機構１４が配設されている。搬送機構１４は、本発明の搬送部の一例に該当する。
【００１４】
搬送方向の上流側（搬送方向の後側）には、複数の用紙Ｐを積層状態で収容する給紙トレイ２１が、搬送方向の下流側（搬送方向の前側）には、印刷後の用紙Ｐを収容する排紙トレイ２２が夫々配設されている。搬送機構１４は、用紙Ｐをノズル形成面１６の下（ノズル形成面１６に対向するインク吐出位置）を通過させて搬送するための搬送ベルト２３を備える。搬送ベルト２３は、印刷開始後に駆動される駆動ローラ２４と、駆動ローラ２４と同一高さ位置で駆動ローラ２４に従動して回転する従動ローラ２５と、駆動ローラ２４と従動ローラ２５との中間位置の下方に位置するテンションローラ２６とにテンションを加えられた状態で張架されている。駆動ローラ２４、従動ローラ２５及びテンションローラ２６は、これら３つのローラ２４，２５，２６に搬送ベルト２３が張架された際に、当該搬送ベルト２３が三角形状をなすように配置されている。
【００１５】
駆動ローラ２４と従動ローラ２５との間には複数（本実施形態では４つ）の補助搬送ローラ２７が配置される。搬送ベルト２３は、各補助搬送ローラ２７により下方から水平に支持されている。給紙トレイ２１と搬送ベルト２３との間には、従動ローラ２５まで用紙Ｐを案内するための第１ガイド板３１が設けられている。給紙トレイ２１の上部には給紙トレイ２１の最上部に収容された用紙Ｐを取り出すためのピックアップローラ３２が設けられ、給紙トレイ２１と第１ガイド板３１との接続部分には、摩擦により重畳してピックアップされた用紙Ｐを一枚だけ送るための分離ローラ対３３が設けられている。第１ガイド板３１の所定位置には、用紙Ｐを第１ガイド板３１上から従動ローラ２５より下流側へ送り出す際に駆動される紙ゲートローラ対３５が設けられている。
【００１６】
搬送ベルト２３と排紙トレイ２２の間には、駆動ローラ２４から排紙トレイ２２までの間において用紙Ｐを案内するための第２ガイド板３６が設けられている。第２ガイド板３６と排紙トレイ２２との間には、印刷を終えた用紙Ｐを排紙トレイ２２へ排出するための排紙ローラ対３７が設けられている。プリンタ１０は、特開２００７‐１１２０９７に示されているように、縁無し印刷時に用紙Ｐからはみ出して吐出されたインクを受容するためのベースシートを搬送するためのベースシート搬送機構等をさらに備え、用紙Ｐをベースシート上に重ねた状態で搬送ベルト２３で搬送する構成を採用してもよい。
【００１７】
図２は、プリンタ１０等の電気的構成を概略的に示している。プリンタ１０は、ＣＰＵ６２、ＲＯＭ６３及びＲＡＭ６４を少なくとも備える制御部６１を有している。制御部６１においては、ＣＰＵ６２が、ＲＯＭ６３に格納された所定の制御プログラムをＲＡＭ６４をワークエリアとして使用して実行することにより、印刷ヘッド１２や搬送機構１４の動作を制御する。制御部６１には、通信インターフェース（ＩＦ）３８、入力受付部３９、搬送機構１４を構成する所定のローラ（ピックアップローラ３２、分離ローラ対３３、紙ゲートローラ対３５、駆動ローラ２４、排紙ローラ対３７）、ヘッド駆動部４０等がそれぞれ電気的に接続されている。
【００１８】
通信ＩＦ３８は、外部装置（図２の例では、パーソナルコンピュータ（ＰＣ）５０）と接続するとともに、当該外部装置から印刷データ（例えば、印刷対象の画像を表現したインク種類別のラスタデータ）を受信可能なインターフェースである。入力受付部３９は、プリンタ１０が備える不図示のボタンやユーザインターフェース（例えば、タッチパネル）を介してユーザからの入力指示を受付け、当該指示を制御部６１に送信することが可能である。ヘッド駆動部４０は、制御部６１の制御によって、ラスタデータに対応した、印刷ヘッド１２の各ノズル１３（各ノズル１３が備える圧電素子）を駆動するための電圧パターン（駆動信号）を生成し、この駆動信号によって各ノズル１３を駆動させることで、各ノズル１３からインク滴を吐出させる。また制御部６１は、用紙Ｐの搬送経路上で適宜用紙Ｐの先端位置などを検出する各種センサ（不図示）からの検出信号に基づき、搬送機構１４を構成する上記所定のローラの駆動（回転）制御を行い、用紙Ｐを搬送させる。
【００１９】
図３は、プリンタ１０によって用紙Ｐにユーザ所望の画像（目的画像と呼ぶ。）が印刷された結果の一例を示している。図３の例では、用紙Ｐにおいて、略中央の矩形領域Ａ１内に目的画像ＯＩが印刷されており、矩形領域Ａ１外の縁領域Ａ２に予備マークＰＭおよび基準マークＲＭが印刷されている。基準マークＲＭは、用紙Ｐから縁領域Ａ２を裁断する（切り落とす）ための位置（特定位置）を示した印であり、矩形領域Ａ１の縦横の辺の位置を用紙Ｐの四隅において特定している。図３の例では、基準マークＲＭは、搬送方向と平行な線（水平裁断線）および搬送方向に直交する線（垂直裁断線）によって構成されている。また、予備マークＰＭは、縁領域Ａ２内において、対応する基準マークＲＭよりも先に印刷された画像（予備印刷によって形成された画像）であり、対応する基準マークＲＭよりも搬送方向において下流側の位置に印刷されている。
【００２０】
本実施形態では、ユーザが、ＰＣ５０のモニタ５１（図２参照）に表示された所定のアプリケーション画面（ユーザインターフェース画面）を介して目的画像ＯＩの印刷指示を行なう際に、併せて基準マークＲＭの印刷指示も行なった場合に、上記のように目的画像ＯＩとともに予備マークＰＭおよび基準マークＲＭが用紙Ｐに印刷される。具体的には、ＰＣ５０は、上記アプリケーション画面を介した目的画像ＯＩおよび基準マークＲＭの印刷指示がなされたら、プリンタ１０に対応する所定のプリンタドライバを起動させる。そしてＰＣ５０は、プリンタドライバに従った画像処理として、目的画像ＯＩを表現した画像データ（例えば、各画素をＲＧＢの階調で表現した画像データ）に対し、プリンタ１０が使用するインク色の表色系への色変換処理を施し、この色変換後のデータに対し、予めＰＣ５０等に記憶されたデータであって予備マークＰＭおよび基準マークＲＭを画素毎のインク色（例えば、ブラック（ｋ）インク）の階調値で表したデータ（付加データと呼ぶ。）を所定の位置関係によって合成し、当該合成後のデータに対し、ハーフトーン処理やラスタライズ処理を行なってラスタデータを生成し、当該生成したラスタデータ（印刷データ）を、プリンタ１０に送信する。
【００２１】
ただし、プリンタドライバによる画像処理では、印刷対象の目的画像ＯＩの全てのページに対して、予備マークＰＭおよび基準マークＲＭを表した上記付加データを合成するのではなく、印刷後の裁断時にまとめて裁断される用紙Ｐのセットにおいて最上面となるページに該当するデータに対してのみ、当該合成を行なう。裁断時に最上面となるページとは、例えば、刊行物等の複数ページに亘る目的画像ＯＩを印刷する場合には、当該刊行物の１ページ目が該当し、プリンタドライバは、この１ページ目に該当するデータに対してのみ上記合成を行なう。この場合、１冊の刊行物を構成する印刷後の用紙Ｐが、まとめて裁断される用紙Ｐのセットとなる。
【００２２】
あるいは、まとめて裁断される用紙Ｐの枚数（裁断ページ数）が予め設定されている場合（裁断ページ数が情報としてＰＣ５０等に記憶されている場合）には、プリンタドライバは、複数の用紙Ｐに対する印刷を行なうために上記画像処理を実行する過程で、裁断ページ数（例えば１００ページ）毎に、最初の１ページ目のデータに対してのみ上記合成を行なうとしてもよい。この場合、裁断ページ数分の印刷後の用紙Ｐが、まとめて裁断される用紙Ｐのセットである。
【００２３】
上記のようにして生成されたラスタデータを受信したプリンタ１０では、制御部６１が、ラスタデータに基づいてヘッド駆動部４０を制御するとともに、搬送機構１４を構成する上記所定のローラの駆動を制御する。その結果、一度に裁断される複数枚の用紙Ｐからなるセットの中で裁断時に最上面となる用紙Ｐに対してのみ、図３に示すように目的画像ＯＩとともに予備マークＰＭと基準マークＲＭとが印刷される。なお、当該セットの中で裁断時に最上面となる用紙Ｐ以外の用紙Ｐには、目的画像ＯＩだけが印刷される。制御部６１は、印刷制御部の一例に該当する。あるいは、プリンタ１０とＰＣ５０とをまとめて本発明の印刷装置として把握する場合には、上記プリンタドライバと制御部６１とが印刷制御部の一例に該当する。
【００２４】
図４は、図３に示した印刷結果の一部分を拡大して例示している。図４に示すように、用紙Ｐには、基準マークＲＭとしての水平裁断線ＲＭｈよりも搬送方向下流側の位置に、水平裁断線ＲＭｈに対応する予備マークＰＭｈが印刷されている。すなわちプリンタ１０は、予備マークＰＭｈを、水平裁断線ＲＭｈの印刷に用いるノズル１３（用紙Ｐ内における水平裁断線ＲＭｈの印刷位置に対応するノズル１３）によって、水平裁断線ＲＭｈよりも先に印刷する。また、基準マークＲＭとしての垂直裁断線ＲＭｖよりも搬送方向下流側の位置に、垂直裁断線ＲＭｖに対応する予備マークＰＭｖが印刷されている。プリンタ１０は、予備マークＰＭｖを、垂直裁断線ＲＭｖの印刷に用いるノズル１３（用紙Ｐ内における垂直裁断線ＲＭｖの印刷位置に対応するノズル１３）によって、垂直裁断線ＲＭｖよりも先に印刷する。
【００２５】
このようにプリンタ１０は、対応し合う予備マークＰＭと基準マークＲＭとを同じノズル１３で印刷するため、予備マークＰＭと基準マークＲＭとは基本的に同じインク色で印刷される。プリンタ１０は、図３，４に示すように、対応し合う予備マークＰＭと基準マークＲＭとの間に、インク滴を吐出しないことにより所定の空白領域Ｗを形成する。つまり、対応し合う予備マークＰＭと基準マークＲＭとの間には用紙Ｐの地色による領域が設けられる。このように空白領域Ｗを形成することにより、予備マークＰＭと基準マークＲＭとの区別が容易となり、用紙Ｐの裁断時に基準マークＲＭを機械で光学的に読み取ったりユーザが目視で確認する場合に、基準マークＲＭが容易に識別される。
【００２６】
プリンタ１０は、予備マークＰＭと基準マークＲＭとの間に空白領域Ｗを形成するのではなく、予備マークＰＭと基準マークＲＭとの間に所定の濃度差が生じるようにインク滴をノズル１３から吐出して予備マークＰＭおよび基準マークＲＭを印刷するとしてもよい。プリンタ１０は、例えば、予備マークＰＭよりも基準マークＲＭを高い濃度にて印刷する。このように予備マークＰＭと基準マークＲＭとの間に濃度差を生じさせることにより、予備マークＰＭと基準マークＲＭとの区別が容易となり、用紙Ｐの裁断時に基準マークＲＭを機械で光学的に読み取ったりユーザが目視で確認する場合に、基準マークＲＭが容易に識別される。
【００２７】
上述したように、インクジェット式のプリンタにおいては、ある程度の期間ノズルを使用しないと、ノズル開口付近のインク粘度が上昇し、吐出不良が発生する。そのため、プリンタ１０によって用紙Ｐに基準マークＲＭを印刷する場合に、いきなり基準マークＲＭの印刷のためにノズル１３からインク滴を吐出すると、上記吐出不良によってインク滴が吐出されなかったり、吐出されたインク滴の着弾位置にずれが生じたりする。
【００２８】
図５は、図４に対する比較例であって、ユーザから目的画像ＯＩとともに基準マークＲＭの印刷指示を受けた場合に、プリンタ１０が縁領域Ａ２に基準マークＲＭのみを印刷した場合の、用紙Ｐの一部分を例示している。図５の例では、予備マークＰＭが印刷されることなく基準マークＲＭ（水平裁断線ＲＭｈおよび垂直裁断線ＲＭｖ）が印刷されている。つまり、上記吐出不良の可能性を抱えた状態のノズル１３を基準マークＲＭを記録するために駆動させることで、図５に示すように、用紙Ｐ上において基準マークＲＭを構成する各インク滴の着弾位置にずれが生じたり（着弾位置が一列に揃わなかったり）、インク滴が欠けることにより基準マークＲＭの一部が記録されなかったりする。
【００２９】
しかしながら本実施形態では、上述したように用紙Ｐに基準マークＲＭを印刷するにあたって、基準マークＲＭの印刷位置よりも搬送方向の前側の位置に、基準マークＲＭの印刷に用いるノズル１３と同じノズル１３からインク滴を吐出させて予備印刷を行い予備マークＰＭを記録する。このように予備印刷を行なってノズル１３に複数回インク滴の吐出動作をさせることで、ノズル１３の開口付近に溜まっていた粘度の高いインクは排出され、ノズル１３の吐出不良状態が解消される（図４に例示するように、予備マークＰＭ自体は、インク滴の非着弾や着弾位置のずれを内包した画像となっている。）。その結果、予備マークＰＭの印刷後に同じノズル１３で基準マークＲＭを印刷する際には、インク滴の吐出状態（吐出速度や吐出角度等）は正常なものとなり、図４に示すように、各基準マークＲＭ（水平裁断線ＲＭｈ、垂直裁断線ＲＭｖ）はいずれも正確な直線となる。すなわち本実施形態によれば、ノズル１３が抱え得る吐出不良の影響を排除して、用紙Ｐの裁断位置を示す基準マークＲＭを極めて正確に印刷することができる。そのため、目的画像ＯＩを印刷した後の用紙Ｐを裁断する際に、用紙Ｐを正確な裁断位置で裁断することができる。
【００３０】
特に本実施形態では、まとめて裁断される用紙Ｐのセットにおいて最上面となる用紙Ｐに対してのみ基準マークＲＭが印刷されるため、１枚の用紙Ｐに基準マークＲＭを印刷した後に他の用紙Ｐに基準マークＲＭを印刷するまでの時間間隔が比較的長くなる傾向にある。そのため、基準マークＲＭの印刷に使用されるノズル１３においては上述したような吐出不良が発生し易いが、本実施形態のように予備マークＰＭを印刷することで、ノズル１３の吐出不良状態は基準マークＲＭの印刷時には解消される。
また、プリンタ１０は、最上面となる用紙Ｐに対してのみ基準マークＲＭ（および予備マークＰＭ）を印刷することで、全ての用紙Ｐに基準マークを印刷していた従来の構成と比較して、インクの消費量を大幅に低減することができる。
【００３１】
なお本実施形態を実現する場合、上記で説明したＰＣ５０による処理（ユーザインターフェース画面を介した印刷指示の受付け、プリンタドライバによる処理）の一部または全部を、プリンタ１０（入力受付部３９、制御部６１など）が代わりに実行するとしてもよい。一例として、ＰＣ５０側で目的画像ＯＩおよび基準マークＲＭの印刷指示を受付けた場合に、ＰＣ５０は目的画像ＯＩを表した印刷データおよび、基準マークＲＭの印刷を指示するコマンドをプリンタ１０に送信する構成とする。そしてプリンタ１０は、当該印刷データとコマンドとを受信した場合に、印刷データが表現する目的画像ＯＩに、予備マークＰＭおよび基準マークＲＭの画像を合成した画像を印刷するとしてもよい。ただしこの場合も、プリンタ１０は、まとめて裁断される用紙Ｐのセットにおいて最上面となる用紙Ｐに対してのみ予備マークＰＭおよび基準マークＲＭを印刷する。
【図面の簡単な説明】
【００３２】
【図１】本実施形態のプリンタの概略を示した図である。
【図２】プリンタ等の電気的構成を示すブロック図である。
【図３】用紙に対する印刷結果の一例を示した図である。
【図４】印刷結果の一例の一部分を示した図である。
【図５】本実施形態の印刷結果に対する従来の比較例を示した図である。
【符号の説明】
【００３３】
１０…プリンタ、１１…筺体、１２…印刷ヘッド、１３…ノズル、１４…搬送機構、１６…ノズル形成面、２３…搬送ベルト、２４…駆動ローラ、３２…ピックアップローラ、３３…分離ローラ対、３５…紙ゲートローラ対、３７…排紙ローラ対、３８…通信Ｉ／Ｆ、３９…入力受付部、４０…ヘッド駆動部、５０…ＰＣ、５１…モニタ、６１…制御部、６２…ＣＰＵ、６３…ＲＯＭ、６４…ＲＡＭ、Ｐ…用紙、ＰＭ，ＰＭｈ，ＰＭｖ…予備マーク、ＲＭ…基準マーク、ＲＭｈ…水平裁断線（基準マーク）、ＲＭｖ…垂直裁断線（基準マーク）
【図１】
2010076113.tif 000003
【図２】
2010076113.tif 000004
【図３】
2010076113.tif 000005
【図４】
2010076113.tif 000006
【図５】
2010076113.tif 000007